(57)【要約】【課題】  軽量で、組み立て及び解体が容易なガーディニング材料及びインテリア材料の提供を目的とした。【解決手段】  プラスチック複合材料を用い、中空箱状のブロックを形成、開口部と相対する面の突起と開口部中空内のリブとを勘合可能としたことにより軽量で、且つ組み立てと解体が容易なガーディニング材料およびインテリア材料を得た。【選択図】図１
2009039089.tif 000002
【特許請求の範囲】
【請求項１】
平行六面体からなる成形体の中央部が中空であり、その一面は開口しており、開口部に相対する面は平坦であるか、或いはその面領域内に単数或いは複数の突起が形成されており、該突起の外面と該成形体の開口した中空部に設置されたリブ端面とを勘合させ、任意の形状の集合体を形成できる成形体であって、外寸法が横幅８０ｍｍ以上×高さ２５ｍｍ以上×奥行３５ｍｍ以上を有し、少なくとも天然由来の材料、好ましくは木粉を５０重量％以上含むプラスチック複合材料から形成された、利用分野がガーディニング分野及びインテリア分野であることを特徴とするブロック式煉瓦。
【請求項２】
成形体の中央中空部分に鉢植えの植物を入れ、水耕栽培用及び／或いは観葉植物用容器として用いることを特徴とする第１項記載のブロック式煉瓦。
【請求項３】
成形体の中央中空部分の内壁面或いはリブ面上に水位を測定するための目盛りが敷設されていることを特徴とする第１、２項記載のブロック式煉瓦。
【請求項４】
プラスチック複合材料がポリプロピレン／木粉充填剤或いはポリプロピレン／木粉充填剤／生分解性プラスチック或いはポリエチレン／木粉充填材或いはＡＢＳ樹脂／木粉充填材或いはポリカーボネート／木粉充填材であることを特徴とする第１〜３項記載のブロック式煉瓦。
【請求項５】
プラスチック複合材料がエラストマー／木粉充填材、好ましくはエチレン−プロピレンコポリマー、エチレン酢酸ビニルコポリマーであることを特徴とする第１〜３項記載のブロック式煉瓦。
【発明の詳細な説明】
【技術分野】
【０００１】  本発明は、仕切り、棚、鉢置き、床材等に用いられる多機能ブロック材料であり、家庭菜園、ガーディニング分野及びインテリア分野に関する。
【背景技術】
【０００２】  家庭菜園やガーディニングにおいては、煉瓦、コンクリートブロック、木製或いはプラスチック床材、棚、プラスチック製各種植木鉢等種々の製品が提供されている。
昔から利用されている煉瓦ブロックは仕切り壁材や床材として使用されてきた実績があるが、一般に重量があり、持ち運びに難があり、特に高層建築物のベランダ等で用いるためには不都合な面を有していた。
コンクリートブロックも形状に若干の差はあるものの煉瓦ブロックと大同小異であった。
木製或いはプラスチック製の敷物、棚等も古くから馴染みのある製品ではあるが、一度棚等の成形体に形成されたものは簡単に作り直すことが煩雑さの故に敬遠されることが多く、当初の形状のまま利用されることが多い。
高層建築物のベランダや庭のスペースに制約のある環境下でガーディニングを楽しむ人にとって限られたスペース内で雰囲気を大きく変化させるためには容量の大きい製品や形状を変更できない製品は不都合であった。
【発明の開示】
【発明が解決しようとする課題】
【０００３】  本発明では前記の問題点を考慮し、軽量で、組み立てが簡単、且つ１つの基本構造体を利用して煩雑な作業を必要とせずに形状を任意に変えることが可能なガーディニング材料或いはインテリア材料を提供することを目的とした。
【課題を解決するための手段】
【０００４】  本発明では上記課題を解決するために、天然由来の材料を含むプラスチック複合材料を用い、一面が開口し、中央部が中空の平行六面体の箱状ブロックを形成し、開口した面に相対する面には、開口面の内側に備えたリブ端面と勘合可能な突起を設けた基本構造体ブロックを準備した。この基本構造体ブロックを複数組み合わせれば任意の形状の仕切り壁、棚等を形成できる。
【発明の効果】
【０００５】  本発明によれば、プラスチック複合材料の中空の箱状ブロックとすることで重量を大幅に低減でき、女性が持ち運ぶのも容易となり、取扱上の制約を削減できた。
また複数のブロックを用い、表面の突起とそれに相対する開口部のリブ端面とを勘合させることにより、任意の形状の製品、例えば仕切り壁、床材、棚等を容易に組み立てることが可能となった。この組み立てた集合体は必要に応じ、容易に解体でき、再度別の製品として組み立て直すことができる。任意の形状及び大きさを選択できる点は狭い空間や限られたスペース内を有効に利用できるという理由で非常に有利である。
この中空の箱状ブロックは閉じた面を上側にして植木鉢等の置き台として用いることもできるが、開口した面を上側にして利用することも可能である。この場合は植木鉢を内側リブ端面で固定することもでき、或いは突起部に対応する凹面に鉢の底を嵌め込むことも可能である。
さらに開口した面を上側にすることの利点は、凹面部に植木鉢の底を嵌め込んだ状態で水耕栽培と同じ環境を形成できることである。ブロック内面の目盛りを利用し、或いは独自の標識を目安に必要且つ十分な水量を保持することにより種々の植物の水耕栽培が可能である。
【発明を実施するための最良の形態】
【０００６】  図１ａ〜図１ｆ、図２に本発明の実施例の１つを示す。なお、本発明は該実施例に限定されるものではない。
図１ａはブロックの側面図、図１ｂ、図１ｃは夫々上面図及び下面図であり、図１ｄは正面図である。図１ｅ及び図１ｆは中央部に存在するリブの端部の状態を示している。
この中空の箱状ブロックは熱可塑性プラスチック及び天然由来の材料からなる複合材料を射出成形することにより得られる。成形に際しては通常用いられる酸化防止剤、安定剤、滑剤等を必要に応じ使用できる。
熱可塑性プラスチックはポリプロピレン、ポリエチレン、ポリスチレン、ポリ塩化ビニル、ポリエステル、ポリ乳酸、ポリコハク酸等から選択できるが、ポリオレフィン特にポリプロピレンが好ましい。
天然由来の材料としては木材、好ましくは木材廃材を粉末化した木粉が好ましく、重量で３０〜８０％、好ましくは５０〜７０％をポリプロピレンと混合し、一旦ペレット状にしたものを射出成形する。
中央が中空の箱状ブロック１は、その開口した面３に相対する面４の上に突起２を有する。この突起２は他のブロックの中空の空間内に設けられたリブ５が形成する壁の端面に嵌め込み、固定することができる。これを利用し複数のブロックを組み立て、仕切り壁、棚等を容易に得ることができる。
このようにして得られるブロック集合体の表面を平らにしたい場合は箱状ブロックの閉じた面４上に突起２が存在しない図２に示す表面が平坦なブロックで表面を覆えばよい。
この箱状ブロック１の開口した面３を上にすれば、一種の容器とすることができる。突起２の相対する裏面が作る凹面に植木鉢の底を固定することも可能で、必要な水量を保つようにすることにより水耕栽培も可能となる。
【実施例】  本発明の実施例を説明する。【０００７】  ［実施例１］
ポリプロピレン樹脂５０重量％及び木粉５０重量％からなる複合材料ペレットを原料とし、図１に示す箱状のブロック成形体を成形した。箱状ブロックの寸法は横幅１６０×高さ５０×奥行７９．７の直方体であり、開口部に相対する面４上に突起２を２個備えている。突起２の形状は外径４７．８φ×高さ２３．９の円柱である。この突起２は中空中央部に形成したリブ５が形成する中央空間部に勘合可能である。このようにして形成された箱状ブロックは長さ方向で組み立てれば二次元の平面構造の壁、柵等が形成でき、長さ方向に対し垂直な要素を加えることで三次元構造の置き台、棚等を形成できた。【０００８】  ［実施例２］
ポリプロピレン樹脂３０重量％及び木粉７０重量％からなる複合材料ペレットを原料とした以外は実施例１と同様にして図１に示す箱状のブロック成形体を成形した。このブロック成形体の開口面３を上にし、突起２の相対する裏面の凹面に植木鉢を嵌め込んだ。この状態で必要にして十分な水量を保つことにより球根を有する植物等の水耕栽培が可能であった。
［実施例３］
ポリプロピレン３０重量％及び木粉７０重量％からなるペレットを原料とし、図２に示す箱状のブロック成形体を成形した。このブロック成形体を予め作成した図１に示すブロック成形体からなる集合体の上面に嵌め込むことにより、上面が平坦なブロック集合体を得ることができた。
［比較例１］
箱状ブロック１に近い大きさの煉瓦で仕切り壁を形成した。煉瓦の重量は実施例１〜３に示すブロックと比較し、ほぼ１０倍の重量を有し、重い。また成形した壁は実施例１の仕切り壁が強固に固定され、外力により壊れ難いのと比較し、セメント等の固着剤を用いない限り、外力により容易に崩れてしまった。
【産業上の利用可能性】
【０００９】  本発明によるガーディニング用ブロックは、例えば家庭菜園或いはガーディニングで使用される仕切り壁材、床材、枠材、置き台、棚等広範な各種の製品に応用することができる。軽量であるため、女性にとっても取り扱いが容易であり、組み立て及び解体における煩雑さが解消されたことは大きな利点と言える。
【図面の簡単な説明】
【００１０】
【図１】〔図１ａ〕本発明におけるブロックの一実施例の側面概略説明図である。〔図１ｂ〕上記ブロックの上面概略説明図である。〔図１ｃ〕上記ブロックの下面概略説明図である。〔図１ｄ〕上記ブロックの正面概略説明図である。〔図１ｅ〕上記ブロックの側面方向の断面概略説明図である。〔図１ｆ〕上記ブロックの正面方向の断面概略説明図である。
【図２】〔図２ａ〕本発明における別のタイプのブロックの位置実施例の側面概略説明図である。〔図２ｂ〕上記ブロックの上面概略説明図である。〔図２ｃ〕上記ブロックの下面概略説明図である。〔図２ｄ〕上記ブロックの正面概略説明図である。〔図２ｅ〕上記ブロックの側面方向の断面概略説明図である。〔図２ｆ〕上記ブロックの正面方向の断面概略説明図である。
【符号の説明】
【００１１】１      中空の箱状ブロック
２      ブロックの開口面に相対する面上の突起
３      ブロックの開口面
４      ブロックの開口面と相対する閉口面
５      ブロック中空部に設けられたリブ
【図１】
2009039089.tif 000003
【図２】
2009039089.tif 000004